(57)【要約】【課題】隣接する２つの表示電極間に配線が設けられた構成において、その２つの表示電極に対向する領域と、配線に接続された表示電極に対向する領域とで互いに異なる色を表示させる場合に、配線による視認性の低下を回避する。【解決手段】配線１２ｅに接続された表示電極１１ｅに対向する領域の電位差をその領域にて表示させる色に応じたものとし、その後、表示電極１１ａ〜１１ｄ，１１ｆ〜１１ｉに対向する領域の電位差をその領域にて表示させる色に応じたものとする。【選択図】図１
2011197527.tif 000002
【特許請求の範囲】
【請求項１】
ベース基材上に形成された複数の電極からなる第１の電極層と、前記第１の電極層の前記ベース基材とは反対側に対向配置された第２の電極層と、前記第１の電極層と前記第２の電極層との間に挟み込まれた情報表示層と、前記複数の電極のうち互いに隣接する２つの電極間にて前記複数の電極のうち他の電極に接続されて前記ベース基材上に形成された配線とを有し、前記複数の電極と前記第２の電極層との間の電位差が前記複数の電極毎に第１及び第２の電位差のいずれか一方とされることにより、前記情報表示層を一方の面側から見た場合に、前記情報表示層の前記第１の電位差とされた領域にて第１の色を表示するとともに、前記情報表示層の前記第２の電位差とされた領域にて前記第１の色とは異なる第２の色を表示し、前記情報表示層が、前記複数の電極に対向する領域の外周に沿って、当該電極と前記第２の電極層との間の電位差に応じた色を表示するにじみ領域を有する情報表示装置において、前記隣接する２つの電極に対向する領域にて前記第１の色を表示させるとともに前記配線に接続された電極に対向する領域にて前記第２の色を表示させる場合の駆動方法であって、
前記配線に接続された電極と前記第２の電極層との間の電位差を前記第２の電位差とし、
前記隣接する２つの電極と前記第２の電極層との間の電位差を前記第１の電位差とする、情報表示装置の駆動方法。
【発明の詳細な説明】
【技術分野】
【０００１】
本発明は、対向配置された２つの電極層間に挟み込まれた情報表示層において電極層に印加される電圧に基づいて情報を表示する情報表示装置の駆動方法に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図６は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図６（ａ）に示すように、ガラスや透明フィルム等からなる透明基板１２２の一方の面に透明電極（例えば、ＩＴＯ：Indium Tin Oxide）１２１が形成されてなる透明導電膜基板１２０と、ベース基材１１３上に積層された絶縁層１１５との間に情報表示層１３０が挟み込まれて構成されている。
【０００６】
絶縁層１１５の情報表示層１３０に対向する面には、情報表示層１３０を用いて情報を表示するための複数の表示電極１１１が形成されており、また、絶縁層１１５の情報表示層１３０とは反対側の面には、表示電極１１１に電圧を印加するための配線１１２が形成されており、複数の表示電極１１１は、絶縁層１１５に形成された導通部１１４を介して配線１１２に接続されている。
【０００７】
情報表示層１３０は、図６（ｂ）に示すように、隔壁１３１とシール層１３４とで囲まれた領域に、帯電性粒子１３３が分散した隔壁内液体１３２が収容されて構成されている。隔壁１３１は、底部と、情報表示層１３０の外周部となる側部と、側部で囲まれた領域を複数の領域に区画するための壁部とからなり、底部とは反対側の面が開口した形状となっている。そして、底部側がベース基材１１３に対向するように積層されており、開口した側にシール層１３４が積層されている。
【０００８】
上記のように構成された電気泳動ディスプレイにおいては、表示電極１１１に選択的に電圧が印加されると、表示電極１１１と透明電極１２１との間に生じた電位差によって隔壁内液体１３２内にて帯電性粒子１３３がクーロン力で移動し、表示電極１１１と透明電極１２１のいずれか一方の側に引き寄せられる。そして、隔壁内液体１３２が染料または顔料で着色されており、帯電性粒子１３３が高屈折率の光散乱成分を含むため、透明導電膜基板１２０側から見た場合、表示電極１１１側に帯電性粒子１３３が引き寄せられた領域が着色された状態に見え、また、透明電極１２１側に帯電性粒子１３３が引き寄せられた領域が白色に見え、これら見える色の違いによって所望の情報が表現されることになる。
【０００９】
ここで、上述したような電気泳動ディスプレイにおいては、表示電極１１１と配線１１２とを接続するために絶縁層１１５に導通部１１４を形成する必要があるが、表示電極１１１に電圧を印加するための配線１１２を複数の表示電極１１１間に配置することにより、絶縁層１１５に導通部１１４を形成する必要がなくなり、そのための工程が不要となり、さらには、絶縁層１１５自体も不要となり、コストダウンを図ることができる。
【００１０】
ところが、複数の表示電極１１１間に配線１１２を配置した場合、表示電極１１１に配線１１２を介して選択的に電圧が印加されると、情報表示部１３０の配線１１２に対向する領域においても、上記同様に、配線１１２と透明電極１２１との間に生じた電位差によって隔壁内液体１３２内にて帯電性粒子１３３がクーロン力で移動し、透明導電膜基板１２０側から見た場合、配線１１２側に帯電性粒子１３３が引き寄せられた領域が着色された状態に見え、また、透明電極１２１側に帯電性粒子１３３が引き寄せられた領域が白色に見え、そのため、表示電極１１１によって表示される情報の視認性が低下してしまう場合がある。
【００１１】
そこで、情報表示層１３０のうち、表示電極１１１間に配置された配線１１２に対向する領域に印刷等によって隠蔽部を設け、それにより、表示電極１１１によって表示される情報の視認性の低下を回避する技術が考えられている（例えば、特許文献１参照。）。
【先行技術文献】
【特許文献】
【００１２】
【特許文献１】特許第３０９９０４８号公報
【発明の概要】
【発明が解決しようとする課題】
【００１３】
上述したように、情報表示層のうち表示電極間に配置された配線に対向する領域に印刷等によって隠蔽部を設けることにより、表示電極によって表示される情報の視認性の低下を回避するものにおいては、隠蔽部と配線との位置合わせを行う必要があるが、表示電極間のギャップやその領域に配置される配線の太さがかなり細いものであるため、その位置合わせが困難となり、歩留まり率の面から好ましくない。
【００１４】
ここで、上述したような情報表示装置においては、表示電極に電圧が印加された場合、情報表示層のうちその表示電極に対向する領域が、印加された電圧に応じて表示電極と透明電極との間に生じた電位差によって帯電性粒子が隔壁内液体内を移動して着色された状態あるいは白色に見えることになるが、実際には、情報表示層の表示電極に対向する領域の外周に沿う領域においても、その表示電極に印加された電圧の影響を受け、表示電極に印加された電圧に応じて電位差が生じて帯電性粒子が隔壁内液体内を移動し、表示電極に対向する領域と同一の色に見えるにじみ領域が存在する。このにじみ領域は、情報表示層の表示電極に対向する領域の外周に沿う領域において一定幅を有している。
【００１５】
そのため、表示電極間に配線を配置した場合に、その配線に対向する領域においても、表示電極に対向する領域と同一の色に見えることになるが、情報表示層を着色された状態に見えるようにする表示電極と、情報表示層を白色に見えるようにする表示電極とに、パルス印加のように時分割で異なる電圧を印加する場合に、配線の両側の表示電極に電圧が印加された後に、その表示電極間に配置された配線に電圧が印加されると、配線に対向する領域が、その両側の表示電極に対向する領域とは異なる色に見えてしまうこととなり、視認性が低下するという問題点は解決されなくなってしまう。
【００１６】
本発明は、上述したような従来の技術が有する問題点に鑑みてなされたものであって、対向配置された第１の電極層と第２の電極層との間に生じた電位差に応じた色を表示する情報表示装置において、第１の電極層を構成する複数の電極間に配線が配置され、その複数の電極と第２の電極層との間と、配線と第２の電極層との間とに時分割で異なる電位差を生じさせた場合であってもその配線による視認性の低下を回避することができる情報表示装置の駆動方法を提供することを目的とする。
【課題を解決するための手段】
【００１７】
上記目的を達成するために本発明は、
ベース基材上に形成された複数の電極からなる第１の電極層と、前記第１の電極層の前記ベース基材とは反対側に対向配置された第２の電極層と、前記第１の電極層と前記第２の電極層との間に挟み込まれた情報表示層と、前記複数の電極のうち互いに隣接する２つの電極間にて前記複数の電極のうち他の電極に接続されて前記ベース基材上に形成された配線とを有し、前記複数の電極と前記第２の電極層との間の電位差が前記複数の電極毎に第１及び第２の電位差のいずれか一方とされることにより、前記情報表示層を一方の面側から見た場合に、前記情報表示層の前記第１の電位差とされた領域にて第１の色を表示するとともに、前記情報表示層の前記第２の電位差とされた領域にて前記第１の色とは異なる第２の色を表示し、前記情報表示層が、前記複数の電極に対向する領域の外周に沿って、当該電極と前記第２の電極層との間の電位差に応じた色を表示するにじみ領域を有する情報表示装置において、前記隣接する２つの電極に対向する領域にて前記第１の色を表示させるとともに前記配線に接続された電極に対向する領域にて前記第２の色を表示させる場合の駆動方法であって、
前記配線に接続された電極と前記第２の電極層との間の電位差を前記第２の電位差とし、
前記隣接する２つの電極と前記第２の電極層との間の電位差を前記第１の電位差とする。
【００１８】
上記のように構成された本発明においては、まず、配線に接続された電極と第２の電極層との間の電位差を第２の電位差とすると、情報表示層のうち、配線に接続された電極とその配線に対向する領域が第２の色に表示される。次に、配線を挟んで互いに隣接する２つの電極と第２の電極層との間の電位差を第１の電位差とすると、情報表示層のうち、この２つの電極に対向する領域が第１の色に表示される。ここで、情報表示層の配線に対向する領域においては、配線に接続された電極と第２の電極層との間の電位差が第２の電位差とされたことによって、第１の色とは異なる第２の色が表示されているが、情報表示層が、第１の電極層を構成する複数の電極に対向する領域の外周に沿って、その電極と第２の電極層との間の電位差に応じた色を表示するにじみ領域を有するものであるため、情報表示層の配線に対向する領域においても、この配線を挟んで互いに隣接する２つの電極と第２の電極層との間の電位差が第１の電位差とされることによって第１の色に表示されることになる。これにより、第１の色に表示された領域間に配線による第２の色が表示されることがなくなり、視認性の低下が回避される。
【発明の効果】
【００１９】
以上説明したように本発明においては、第１の電極層を構成する複数の電極のうち、互いに隣接する２つの電極に対向する領域にて第１の色を表示させるとともに、２つの電極間に設けられた配線に接続された電極に対向する領域にて第２の色を表示させる場合、まず、配線に接続された電極と第２の電極層との間の電位差を、第２の色を表示させるための第２の電位差として配線及び配線に接続された電極に対向する領域にて第２の色を表示させ、その後、互いに隣接する２つの電極と第２の電極層との間の電位差を、第１の色を表示させるための第１の電位差としてその２つの電極に対向する領域にて第１の色を表示させる構成としたため、互いに隣接する２つの電極と第２の電極層との間の電位差を第１の電位差とした際、情報表示層の配線に対向する領域においても、情報表示層のにじみ領域の作用によって第１の色が表示され、それにより、第１の色に表示された領域間に配線による第２の色が表示されることがなくなり、視認性の低下を回避することができる。
【図面の簡単な説明】
【００２０】
【図１】本発明の情報表示装置の駆動方法によって駆動する電気泳動ディスプレイに用いられる表示装置用電極基板の実施の一形態を示す図であり、（ａ）は表面から見た図、（ｂ）は（ａ）に示したＡ−Ａ’断面図である。
【図２】図１に示した表示装置用電極基板を用いた情報表示装置の実施の一形態となる電気泳動ディスプレイの構成を示す図である。
【図３】図２に示した電気泳動ディスプレイの動作を説明するための図であり、（ａ）は図１に示した表示電極近傍の帯電性粒子の動きを示す断面図、（ｂ）は図１に示した情報表示層におけるにじみ領域を示す表面図、（ｃ）は図１に示した表示電極の間隔を説明するための断面図、（ｄ）は（ｃ）に示した状態における情報表示層の見え方を示す表面図である。
【図４】図１〜図３に示した電気泳動ディスプレイにおいて“０”を黒色表示する場合の透明電極及び表示電極に印加する電圧を示す図である。
【図５】図４に示したように透明電極及び表示電極に電圧を印加した場合の表示電極及び配線近傍の帯電性粒子の動きを示す断面図である。
【図６】一般的な電気泳動ディスプレイの積層構造を示す図であり、（ａ）は全体の積層構造を示す図、（ｂ）は（ａ）に示したＡ部拡大図である。
【発明を実施するための形態】
【００２１】
以下に、本発明の実施の形態について図面を参照して説明する。
【００２２】
図１は、本発明の情報表示装置の駆動方法によって駆動する電気泳動ディスプレイに用いられる表示装置用電極基板の実施の一形態を示す図であり、（ａ）は表面から見た図、（ｂ）は（ａ）に示したＡ−Ａ’断面図である。
【００２３】
本形態における表示装置用電極基板は図１に示すように、ＰＥＴ等からなるベース基材１３の一方の面に、第１の電極層を構成する複数の表示電極１１ａ〜１１ｉと、表示電極１１ａ〜１１ｉに電圧を印加するための複数の配線１２ａ〜１２ｉとが形成されて構成されている。
【００２４】
表示電極１１ａ〜１１ｉは、ベース基材１３の一方の面上に、表示される情報に応じたパターンで形成されている。本形態は、この表示電極１１ａ〜１１ｉを用いて数字を表示するものであって、表示電極１１ａ〜１１ｉによって９つのセグメントからなる表示部を構成し、ベース基材１３上に形成された配線１２ａ〜１２ｉを介して、この表示電極１１ａ〜１１ｉに対して選択的に電圧が印加され、“０”〜“９”までの数字を表示することができる。
【００２５】
また、表示電極１１ａ〜１１ｉに電圧を印加するための複数の配線１２ａ〜１２ｉは、その一端がそれぞれ表示電極１１ａ〜１１ｉに接続され、そこから９つのセグメントからなる表示部の外部に引き出され、他端が、表示電極１１ａ〜１１ｉに選択的に電圧を印加するための回路（不図示）に接続されている。ここで、表示電極１１ａ〜１１ｄ，１１ｆ〜１１ｉに電圧を印加するための配線１２ａ〜１２ｄ，１２ｆ〜１２ｉは、表示電極１１ａ〜１１ｄ，１１ｆ〜１１ｉの外側に他の表示電極が存在しないことから、表示電極１１ａ〜１１ｄ，１１ｆ〜１１ｉに接続された一端からそのまま表示部の外部に引き出されているが、表示電極１１ｅに電圧を印加するための配線１２ｅは、表示電極１１ｅが他の表示電極１１ａ〜１１ｄ，１１ｆ〜１１ｉに囲まれて配置されているため、表示電極１１ｅに接続された一端から、互いに隣接する２つの表示電極１１ａ，１１ｄ間を通って表示部の外部に引き出されている。
【００２６】
上記のように構成された表示装置用電極基板１０においては、ベース基材１３上に印刷を施すことによって表示電極１１ａ〜１１ｉ及び配線１２ａ〜１２ｉを形成することができる。例えば、ベース基材１３上に、銀ペーストやカーボンペースト等の導電ペーストや導電インキを用いてスクリーン印刷によって表示電極１１ａ〜１１ｉ及び配線１２ａ〜１２ｉを印刷することが考えられる。
【００２７】
以下に、上記のように構成された表示装置用電極基板１０を用いた情報表示装置について説明する。
【００２８】
図２は、図１に示した表示装置用電極基板１０を用いた情報表示装置の実施の一形態となる電気泳動ディスプレイの構成を示す図であり、図１に示した表示電極１１ａ，１１ｄ及び配線１２ｅ近傍における断面を示す図である。なお、図２においては、情報表示装置の詳細な構成を明確にするために図１に示した表示電極１１ａ，１１ｄ及び配線１２ｅ近傍における断面しか示していないが、図１に示した表示電極１１ａ，１１ｄ及び配線１２ｅ近傍以外の領域においても同様の積層構造を有している。
【００２９】
本形態は図２に示すように、図１に示した表示装置用電極基板１０の表示電極１１ａ〜１１ｉ及び配線１２ａ〜１２ｉが形成された面上に、表示装置用電極基板１０の表示電極１１ａ〜１１ｉに印加された電圧によって生じた電位差に応じて情報を表示する情報表示層３０及び透明導電膜基板２０が積層されて構成されている。透明導電膜基板２０は、ガラスや透明フィルム等からなる透明基板２２の一方の面に第２の電極層となる透明電極（例えば、ＩＴＯ）２１が形成されて構成されており、表示電極１１ａ〜１１ｉと透明電極２１とが対向配置し、これら表示電極１１ａ〜１１ｉと透明電極２１との間に情報表示層３０が挟み込まれている。透明基板２２の表面には、表示電極１１ａ〜１１ｉによる９つのセグメントからなる表示部の外部に対向する領域にマスク印刷（不図示）が施されており、それにより、表示電極１１ａ〜１１ｄ，１１ｆ〜１１ｉから引き出された配線１２ａ〜１２ｄ，１２ｆ〜１２ｉと、表示電極１１ｅから引き出された配線１２ｅのうち表示部の外部に配置された部分が透明基板２２側から視認されないようになっている。また、情報表示層３０は、隔壁３１とシール層３４とで囲まれた領域に、帯電性粒子３３が分散した隔壁内液体３２が収容されて構成されている。そして、これら表示装置用電極基板１０、情報表示層３０及び透明導電膜基板２０は、透明電極２１と表示電極１１ａ〜１１ｉとが、隔壁３１とシール層３４とで囲まれた領域に収容された隔壁内液体３２を介して対向するように積層されている。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層３４が積層されている。
【００３０】
ここで、上記のように構成された電気泳動ディスプレイの動作について説明する。
【００３１】
図３は、図２に示した電気泳動ディスプレイの動作を説明するための図であり、（ａ）は図１に示した表示電極１１ａ〜１１ｉ近傍の帯電性粒子３３の動きを示す断面図、（ｂ）は図１に示した情報表示層３０におけるにじみ領域を示す表面図、（ｃ）は図１に示した表示電極１１ａ〜１１ｉの間隔を説明するための断面図、（ｄ）は（ｃ）に示した状態における情報表示層３０の見え方を示す表面図である。なお、図３においては、表示電極１１ａ〜１１ｉをまとめて表示電極１１として示す。
【００３２】
図２に示した電子泳動ディスプレイは、透明電極２１に所定の電圧が印加されるとともに、表示電極１１ａ〜１１ｉに選択的に電圧が印加されると、表示電極１１ａ〜１１ｉと透明電極２１との間に生じた電位差によって隔壁内液体３２内にて帯電性粒子３３がクーロン力で移動し、表示電極１１ａ〜１１ｉと透明電極２１のいずれか一方の側に引き寄せられていく。そして、隔壁内液体３２が染料または顔料で黒色に着色されており、帯電性粒子３３が高屈折率の光散乱成分を含むため、透明導電膜基板２０側から見た場合、表示電極１１ａ〜１１ｉ側に帯電性粒子３３が引き寄せられた領域が黒色に見え、また、透明電極２１側に帯電性粒子３３が引き寄せられた領域が白色に見え、これら見える色の違いによって所望の情報が表現されることになる。
【００３３】
ここで、図２に示した電気泳動ディスプレイにおいては、例えば、透明電極２１が０Ｖとされた状態で表示電極１１ａ〜１１ｉにプラスの電圧が印加されると、情報表示層３０の表示電極１１ａ〜１１ｉに対向する領域においては、表示電極１１ａ〜１１ｉに対して透明電極２１側がマイナスとなる電位差が生じ、隔壁３１及びシール層３４で囲まれた領域に収容された隔壁内液体３２が誘電性物質からなり、帯電性粒子３３がマイナス電位に帯電しているものであることから、帯電性粒子３３が表示電極１１ａ〜１１ｉ側に引き寄せられていくが、図３（ａ）に示すように、表示電極１１ａ〜１１ｉに対向する領域に隣接する領域、すなわち、表示電極１１ａ〜１１ｉに対向する領域の外周に沿う領域においても、表示電極１１ａ〜１１ｉに対向する領域に生じた電位差の影響を受け、一定の幅だけ、帯電性粒子３３が表示電極１１ａ〜１１ｉ側に引き寄せられていく。
【００３４】
そのため、この電気泳動ディスプレイを透明導電膜基板２０側から観察すると、図３（ｂ）に示すように、表示電極１１ａ〜１１ｉに対向する領域が、着色された着色表示領域４１として黒色に見えるとともに、この表示電極１１ａ〜１１ｉに対向する領域に隣接する領域においても、一定幅Ｗを有するにじみ領域４２として着色表示領域４１と同一の黒色に見えるようになる。これにより、情報表示層３０においては、表示電極１１ａ〜１１ｉに対向する領域にて黒色及び白色のうちその領域にて生じた電位差に応じた色が表示されるとともに、表示電極１１ａ〜１１ｉに対向する領域に隣接する領域に、黒色及び白色のうちその表示電極に対向する領域にて生じた電位差に応じた色を表示する一定幅を具備するにじみ領域４２を有することになる。なお、このにじみ領域４２は、情報表示層３０の厚さや、隔壁３１の厚さ、隔壁３１によって区切られる空間の大きさ、帯電性粒子３３の大きさ、表示電極１１ａ〜１１ｉに印加される電位の大きさ等によってその幅が決まる。
【００３５】
そこで、本形態においては、表示電極１１ａ〜１１ｉのうち、隣接する２つの表示電極の間隔がにじみ領域４２の幅Ｗの２倍となっている。すると、図３（ｃ）に示すように、透明電極２１が０Ｖとされた状態で表示電極１１ａ〜１１ｉにプラスの電圧が印加されると、情報表示層３０の表示電極１１ａ〜１１ｉに対向する領域において帯電性粒子３３が表示電極１１ａ〜１１ｉ側に引き寄せられるとともに、隣接する２つの表示電極間の領域においても帯電性粒子３３が表示電極１１ａ〜１１ｉ側に引き寄せられることになる。
【００３６】
それにより、図３（ｄ）に示すように、隣接する２つの表示電極間の領域が情報表示層３０のにじみ領域４２によって覆われることとなり、透明電極２１が０Ｖとされた状態でこれら２つの表示電極にプラスの電圧が印加された場合、２つの表示電極に対向する領域と、２つの表示電極間の領域とが、それぞれ着色表示領域４１とにじみ領域４２として同一の黒色に見えるようになる。なお、にじみ領域４２においては、帯電性粒子３３が表示電極１１ａ〜１１ｉ側に引き寄せられるものの隔壁３１の底部に接しない場合も生じるが、その領域においても、帯電性粒子３３が表示電極１１ａ〜１１ｉ側に引き寄せられることにより、着色表示領域４１と同一の黒色に見えることになる。
【００３７】
また、その反対に、透明電極２１にプラスの電圧が印加された状態で表示電極１１ａ〜１１ｉが０Ｖとされた場合においても、情報表示層３０の表示電極１１ａ〜１１ｉに対向する領域において帯電性粒子３３が透明電極２１側に引き寄せられるとともに、隣接する２つの表示電極間の領域においても帯電性粒子３３が透明電極２１側に引き寄せられ、それにより、表示電極１１ａ〜１１ｉに対向する領域と、隣接する２つの表示電極間の領域とが白色に見えることとなる。
【００３８】
以下に、上述した電気泳動ディスプレイの駆動方法について、表示電極１１ａ〜１１ｄ，１１ｆ〜１１ｉに対向する領域を黒色表示し、表示電極１１ｅに対向する領域を白色表示することによって“０”を黒色表示する場合を例に挙げて説明する。
【００３９】
図４は、図１〜図３に示した電気泳動ディスプレイにおいて“０”を黒色表示する場合の透明電極２１及び表示電極１１ａ，１１ｄ，１１ｅに印加する電圧を示す図である。また、図５は、図４に示したように透明電極２１及び表示電極１１ａ，１１ｄ，１１ｅに電圧を印加した場合の表示電極１１ａ，１１ｄ及び配線１２ｅ近傍の帯電性粒子３３の動きを示す断面図である。
【００４０】
図１〜図３に示した電気泳動ディスプレイにおいては、図４に示すように、透明電極２１に対して一定周期で０Ｖと３０Ｖが交互に印加されている。
【００４１】
図１〜図３に示した電気泳動ディスプレイにおいて“０”を黒色表示する場合は、まず、透明電極２１に３０Ｖが印加された状態において、表示電極１１ｅを配線１２ｅを介して０Ｖとするとともに、表示電極１１ａ〜１１ｄ，１１ｆ〜１１ｉに配線１２ａ〜１２ｄ，１２ｆ〜１２ｉを介して３０Ｖを印加する（区間Ａ）。
【００４２】
すると、情報表示層３０の表示電極１１ａ〜１１ｄ，１１ｆ〜１１ｉに対向する領域においては、表示電極１１ａ〜１１ｄ，１１ｆ〜１１ｉと透明電極２１とに印加される電圧が等しいことから電位差が生じず、図５（ａ）に示すように、隔壁内液体３２中における帯電性粒子３３の移動はない。また、情報表示層３０の表示電極１１ｅに対向する領域や表示電極１１ｅに接続された配線１２ｅに対向する領域においては、透明電極２１に印加された電圧が３０Ｖであり、表示電極１１ｅ及び配線１２ｅが０Ｖとされていることから、表示電極１１ｅ及び配線１２ｅに対して透明電極２１側がプラスとなる第２の電位差が生じ、それにより、図５（ａ）に示すように、帯電性粒子３３が隔壁内液体３２中を移動して透明電極２１側に引き寄せられていき、それにより、透明導電膜基板２０側から見た場合、第２の色となる白色が表示されることになる。なお、この際、表示電極１１ｅ及び配線１２ｅの近傍の領域においても、上述した情報表示層３０におけるにじみ領域４２の影響によって白色が表示される。
【００４３】
次に、透明電極２１が０Ｖとされた状態において、表示電極１１ｅを配線１２ｅを介して０Ｖとするとともに、表示電極１１ａ〜１１ｄ，１１ｆ〜１１ｉに配線１２ａ〜１２ｄ，１２ｆ〜１２ｉを介して３０Ｖを印加する（区間Ｂ）。
【００４４】
すると、情報表示層３０の表示電極１１ｅに対向する領域や表示電極１２ｅに接続された配線１２ｅに対向する領域においては、表示電極１１ｅ及び配線１２ｅと透明電極２１の電圧が等しいことから電位差が生じず、それにより、帯電性粒子３３が透明電極２１側に引き寄せられた状態が維持される。また、情報表示層３０の表示電極１１ａ〜１１ｄ，１１ｆ〜１１ｉに対向する領域においては、透明電極２１が０Ｖであり、表示電極１１ａ〜１１ｄ，１１ｆ〜１１ｉに印加された電圧が３０Ｖであることから、表示電極１１ａ〜１１ｄ，１１ｆ〜１１ｉに対して透明電極２１側がマイナスとなる第１の電位差が生じ、それにより、図５（ｂ）に示すように、帯電性粒子３３が隔壁内液体３２中を移動して表示電極１１ａ〜１１ｄ，１１ｆ〜１１ｉ側に引き寄せられていき、それにより、透明導電膜基板２０側から見た場合、第１の色となる黒色が表示されることになる。また、この際、表示電極１１ａ，１１ｄの外周に沿う領域においては、上述した情報表示層３０のにじみ領域４２の影響によって、帯電性粒子３３が隔壁内液体３２中を移動して表示電極１１ａ，１１ｄ側に引き寄せられていき、それにより、透明導電膜基板２０側から見た場合、第１の色となる黒色が表示されることになるが、表示電極１１ａ，１１ｄの間隔が、にじみ領域４２の幅の２倍であることから、表示電極１１ａ，１１ｄの間の領域、すなわち、配線１２ｅに対向する領域においても、図５（ｂ）に示すように、帯電性粒子３３が隔壁内液体３２中を移動して表示電極１１ａ，１１ｄ側に引き寄せられていき、それにより、透明導電膜基板２０側から見た場合に黒色が表示されることになる。
【００４５】
このように、隣接する２つの表示電極間に配線が設けられた構成において、その２つの表示電極に対向する領域と、配線に接続された表示電極に対向する領域とで互いに異なる色を表示させる場合に、情報表示層３０が有するにじみ領域４２の性質を利用して、まず、配線に接続された表示電極と透明電極２１との間の電位差をその表示する色に応じたものとし、その後、２つの隣接する表示電極と透明電極２１との間の電位差をその表示する色に応じたものとすることにより、配線に対向する領域においても、隣接する２つの表示電極に対向する領域にて表示される色が表示されることとなり、視認性の低下を回避することができる。
【００４６】
なお、本形態においては、隣接する２つの表示電極１１ａ，１１ｄ間に配線１２ｅが設けられた構成において、表示電極１１ａ，１１ｄに対向する領域を黒色表示するとともに、配線１２ｅに接続された表示電極１１ｅに対向する領域を白色表示する場合を例に挙げて説明したが、表示電極１１ａ，１１ｄに対向する領域を白色表示するとともに、配線１２ｅに接続された表示電極１１ｅに対向する領域を黒色表示する場合においても同様に、まず、配線１２ｅに接続された表示電極１１ｅに対向する領域を黒色表示してから、表示電極１１ａ，１１ｄに対向する領域を白色表示するように駆動すれば、配線１２ｅに対向する領域の色が、表示電極１１ａ，１１ｄに対向する領域と同じ白色となる。
【００４７】
また、本形態においては、情報表示層３０として、隔壁内液体３２に分散した帯電性粒子３３が、表示電極１１ａ〜１１ｉと透明電極２１との間の電位差によって表示電極１１ａ〜１１ｉ側または透明電極２１側に移動して表示が切り替わる垂直型電気泳動方式の薄型表示部材を例に挙げて説明したが、情報表示層３０としては、電圧が印加されることにより情報を表示する情報表示層を有するものであれば、コレステリック液晶や電子粉粒タイプのもの等、適宜適用することができる。
【符号の説明】
【００４８】
１０    表示装置用電極基板
１１，１１ａ〜１１ｉ    表示電極
１２ａ〜１２ｉ    配線
１３    ベース基材
２０    透明導電膜基板
２１    透明電極
２２    透明基板
３０    情報表示層
３１    隔壁
３２    隔壁内液体
３３    帯電性粒子
３４    シール層
４１    着色表示領域
４２    にじみ領域
【図１】
2011197527.tif 000003
【図２】
2011197527.tif 000004
【図３】
2011197527.tif 000005
【図４】
2011197527.tif 000006
【図５】
2011197527.tif 000007
【図６】
2011197527.tif 000008